【手続補正書】
【提出日】平成27年7月1日(2015.7.1)
【手続補正１】
【補正対象書類名】特許請求の範囲
【補正対象項目名】全文
【補正方法】変更
【補正の内容】
【特許請求の範囲】
【請求項１】
検査下のネットワークに接続された検査システムによって実行される方法であって、
複数のユーザをエミュレートし、各エミュレートされたユーザ（ＥＵ）はＥＵのアクティビティを実行する、工程であって、
各ＥＵのアクティビティは、前記検査システムに、検査下のネットワークを介してトラフィックを生成させ、送信させ、
各ＥＵのアクティビティは１つ以上のコマンドを含み、
少なくとも一部のＥＵのアクティビティは第１のプロトコルに関連付けられた第１のコマンドを含み、第１のプロトコルは、前記第１のプロトコルとは異なる第２のプロトコルに関連付けられた第２のコマンドと同期されている、工程と、
前記複数のユーザをエミュレートする工程の結果をレポートする工程と
を含む、方法。
【請求項２】
グラフィカルユーザインターフェースを提供する工程と、
前記グラフィカルユーザインターフェースを介してユーザから各ＥＵのアクティビティの規定を受信する工程と
をさらに含む、請求項１に記載の方法。
【請求項３】
前記複数のユーザはＮ数のユーザからなり、各々が、Ｍ個のあらかじめ規定されたＥＵのアクティビティの１つを実行し、ここでＮ数およびＭ個は正の整数であり、Ｎ数はＭ個よりも大きいかそれに等しい、請求項１に記載の方法。
【請求項４】
前記第１のコマンドは第１のレイヤ２〜３のプロトコルに関連付けられ、前記第２のコマンドは、前記第１のレイヤ２〜３のプロトコルとは異なる第２のレイヤ２〜３のプロトコルに関連付けられている、請求項１に記載の方法。
【請求項５】
前記第１のコマンドはレイヤ２〜３のプロトコルに関連付けられており、前記第２のコマンドはレイヤ４〜７のプロトコルに関連付けられている、請求項１に記載の方法。
【請求項６】
前記第２のコマンドは、ハイパーテキスト・トランスファー・プロトコル、シンプルメールトランスファープロトコル、ポストオフィスプロトコル、シンプルメッセージシステムプロトコル、ファイルトランスファープロトコル、リアルタイムプロトコル、リアルタイムトランスポートコントロールプロトコル、リアルタイムストリーミングプロトコル、メディアゲートウェイコントロールプロトコル、およびセッションイニシエーションプロトコルのうちの１つに関連付けられる、請求項５に記載の方法。
【請求項７】
検査下のネットワークを検査するための方法であって、
１つ以上のエミュレートされたユーザ（ＥＵ）のアクティビティを規定する工程であって、
各ＥＵのアクティビティは１つ以上のコマンドを含み、
少なくとも一部のＥＵのアクティビティは第１のプロトコルに関連付けられた第１のコマンドを含み、第１のプロトコルは、前記第１のプロトコルとは異なる第２のプロトコルに関連付けられた第２のコマンドと同期されている、工程と、
複数のＥＵを含むＥＵのコミュニティを規定する工程であって、前記複数のＥＵの各々が前記規定されたＥＵのアクティビティの１つを実行する、工程と、
検査下のネットワークに接続された検査システムを使用して前記ＥＵのコミュニティをエミュレートする工程であって、
各ＥＵのアクティビティは、前記検査システムに、検査下のネットワークを介してトラフィックを生成させ、送信させる前記複数のＥＵによって実行される、工程と、
前記ＥＵのコミュニティをエミュレートする工程の結果をレポートする工程と
を含む、方法。
【請求項８】
グラフィカルユーザインターフェースを提供する工程と、
前記グラフィカルユーザインターフェースを介してユーザから各ＥＵのアクティビティの規定を受信する工程と
をさらに含む、請求項７に記載の方法。
【請求項９】
前記複数のＥＵはＮ数のＥＵからなり、各々が、Ｍ個のあらかじめ規定されたＥＵのアクティビティの１つを実行し、ここでＮ数およびＭ個は正の整数であり、Ｎ数はＭ個よりも大きいかそれに等しい、請求項７に記載の方法。
【請求項１０】
前記第１のコマンドは第１のレイヤ２〜３のプロトコルに関連付けられ、前記第２のコマンドは、前記第１のレイヤ２〜３のプロトコルとは異なる第２のレイヤ２〜３のプロトコルに関連付けられている、請求項７に記載の方法。
【請求項１１】
前記第１のコマンドはレイヤ２〜３のプロトコルに関連付けられており、前記第２のコマンドはレイヤ４〜７のプロトコルに関連付けられている、請求項７に記載の方法。
【請求項１２】
前記第２のコマンドは、ハイパーテキスト・トランスファー・プロトコル、シンプルメールトランスファープロトコル、ポストオフィスプロトコル、シンプルメッセージシステムプロトコル、ファイルトランスファープロトコル、リアルタイムプロトコル、リアルタイムトランスポートコントロールプロトコル、リアルタイムストリーミングプロトコル、メディアゲートウェイコントロールプロトコル、およびセッションイニシエーションプロトコルのうちの１つに関連付けられる、請求項１１に記載の方法。
【請求項１３】
検査システムであって、
検査下のネットワークに接続された１つ以上のポートユニットと、
前記１つ以上のポートユニットに接続された検査アドミニストレータコンピューティングデバイスとを備え、
前記検査アドミニストレータコンピューティングデバイスおよび前記１つ以上のポートユニットが、
複数のユーザをエミュレートすることであり、各エミュレートされたユーザ（ＥＵ）はＥＵのアクティビティを実行する、ことであって、
各ＥＵのアクティビティは１つ以上のコマンドを含み、
少なくとも一部のＥＵのアクティビティは第１のプロトコルに関連付けられた第１のコマンドを含み、第１のプロトコルは、前記第１のプロトコルとは異なる第２のプロトコルに関連付けられた第２のコマンドと同期されている、ことと、
前記複数のＥＵをエミュレートしたことの結果をレポートすることと
のためのハードウェアおよびソフトウェアを備える、検査システム。
【請求項１４】
前記ハードウェアおよびソフトウェアはさらに、
グラフィカルユーザインターフェースを提供し、
前記グラフィカルユーザインターフェースを介してユーザから各ＥＵのアクティビティの規定を受信する
ためにある、請求項１３に記載の検査システム。
【請求項１５】
前記複数のユーザはＮ数のユーザからなり、各々が、Ｍ個のあらかじめ規定されたＥＵのアクティビティの１つを実行し、ここでＮ数およびＭ個は正の整数であり、Ｎ数はＭ個よりも大きいかそれに等しい、請求項１３に記載の検査システム。
【請求項１６】
前記第１のコマンドは第１のレイヤ２〜３のプロトコルに関連付けられ、前記第２のコマンドは、前記第１のレイヤ２〜３のプロトコルとは異なる第２のレイヤ２〜３のプロトコルに関連付けられる、請求項１３に記載の検査システム。
【請求項１７】
前記第１のコマンドはレイヤ２〜３のプロトコルに関連付けられ、前記第２のコマンドはレイヤ４〜７のプロトコルに関連付けられる、請求項１３に記載の検査システム。
【請求項１８】
前記第２のコマンドは、ハイパーテキスト・トランスファー・プロトコル、シンプルメールトランスファープロトコル、ポストオフィスプロトコル、シンプルメッセージシステムプロトコル、ファイルトランスファープロトコル、リアルタイムプロトコル、リアルタイムトランスポートコントロールプロトコル、リアルタイムストリーミングプロトコル、メディアゲートウェイコントロールプロトコル、およびセッションイニシエーションプロトコルのうちの１つに関連付けられる、請求項１７に記載の検査システム。